(57)【要約】      （修正有）【課題】多様な犬種や大きさに対応させながら運動水槽内において犬を適宜に支持して、犬が該水槽内において前に行き過ぎたり、後ろに行き過ぎたり、左右にふら付いたり、側壁に寄って歩行面上から外れてしまうことを防止しつつ、犬に適度な運動をさせることができるように構成された犬用の運動器具を提供する。【解決手段】内底部に歩行運動手段が配設される運動水槽２を有する犬用の運動器具において、該水槽２の幅方向における左右の側壁の上縁部の任意の位置に取り付け可能なリード固定フレーム６を有し、該水槽２内の幅方向に渡される渡し板や該水槽２内の最後部に配設され尻尾等の吸い込みを防止する吸込防止カバー体や犬Ｄが該水槽２内において左右の側壁のいずれかに片寄ってしまうことを防止する片寄り防止体などを備える。【選択図】図３
2009291155.tif 000002
【特許請求の範囲】
【請求項１】
所定面積の底部とこの底部から立ち上がる側壁とを有し所定容積の水を溜め得る上面が開放された略矩形箱状の水槽と、該水槽の内底部付近に配設されモータ駆動によって回動するベルトコンベアからなる歩行面を有する歩行運動手段と、を備え、該水槽内において、運動主体である犬が、該水槽内を殆ど移動することなく、該犬に掛かる負荷を軽減しつつ、任意の距離の歩行運動と同等以上の運動効果を得ることができるように構成された犬用の運動器具において、上記側壁の上縁部に取り付けられ、該犬に装着された胴衣に一端が連結されるリードの他端を固定するためのリード固定フレームを有し、このリード固定フレームが該側壁の上縁部上において、上記ベルトコンベアの歩行面の移動方向に沿って前後方向に位置を変えて固定し得るように構成されることを特徴とする犬用の運動器具。
【請求項２】
リード固定フレームは、運動用の水槽の対向する側壁の上縁部に、それぞれ取り付けられて係止される一対の取付部と、これらの取付部間に架橋され且つリードの一端が固定されるリード固定部が形成された架橋フレームと、を備え、架橋フレームは、両端がそれぞれ一対の上記取付部に対して、高さ方向における伸縮を可能とするように連結され、これによって固定部の高さ位置を変え得るように構成さることを特徴とする請求項１に記載の犬用の運動器具。
【請求項３】
ベルトコンベアの幅方向両端を跨ぐように、対向する側壁間に架橋される渡し板を備え、この渡し板が、該ベルトコンベアの左右両端に配設されるカバー体上に載置されて該ベルトコンベアの上方に位置させることを特徴とする請求項１又は２に記載の犬用の運動器具。
【請求項４】
渡し板は、上部に座台が配設され、運動主体である犬の運動を補助する介護者が、水槽内において、渡し板がベルトコンベアに接触せずに、該座台に着座することができるように構成されることを特徴とする請求項１乃至３のいずれかに記載の犬用の運動器具。
【請求項５】
水槽内の後部における水を吸い込む吸込口の直前に、幅方向に延び、且つ、該吸込口を塞ぐことなく覆う板状部を有し、運動主体である犬の毛や尻尾等が吸い込まれることを防止するように構成された吸込防止カバー体が配設されることを特徴とする請求項１乃至４のいずれかに記載の犬用の運動器具。
【請求項６】
水槽の幅方向において互いに対向するそれぞれの側壁に沿って、これらの側壁間の空隙の幅を狭めるように、これらの側壁間に配設される片寄り防止体を備え、これらの片寄り防止体によって運動主体である犬が幅方向の側壁に寄ってしまうことを防止することを特徴とする請求項１乃至５のいずれかに記載の犬用の運動器具。
【発明の詳細な説明】
【技術分野】
【０００１】
本発明は、一定の空間内において、犬に水中歩行運動をさせることができるように構成された犬用の運動器具に関し、運動主体である犬の運動を補助する介護者の負担を軽減しつつ、その犬に過度の負担をかけることなく、適度な運動やリハビリをさせるための器具に関する。
【背景技術】
【０００２】
電動モータで駆動する歩行運動用のベルトコンベアを、上方が開口し、水を溜め得る箱状の運動用水槽の長方形の内底部に配設して、該運動用水槽内に前記ベルトが水に浸りきって適当な水深となるように水を溜め、該ベルト上において水の抵抗や浮力を受けさせながら運動主体である犬が水槽内を殆ど移動することなく水中歩行運動をさせることができるように構成された犬用の運動器具が、先に本発明者等によって提案されている（特許文献１）。
【０００３】
特許文献１の運動器具は、運動主体である犬に対して、水中歩行運動をさせるのに必要な設備を有し、フロータや把手を有する胴衣を装着させた該犬に、この犬の運動を補助する介護者が付き添って該把手を把持しながら運動用水槽内において水中歩行運動などをさせてリハビリ効果を得ることができるようになっている。
【０００４】
しかしながら、この種の従来の犬用の運動器具においては、運動主体である犬に水中歩行運動などの運動をさせようとする場合には、少なくとも一人以上の介護者が付き添って、該犬に装着させる胴衣に設けられた把手などを把持しつつ、該犬を支持するなどして補助し続ける必要がある。この際、運動主体である犬には、重力や水流などの負荷が掛かる上、該犬自身の動きが加わるため、特に大きな犬種の場合には、介護者に掛かる負担が著しく大きくなり過ぎるという問題があった。
【特許文献１】特許第３９０６２３２号公報
【発明の開示】
【発明が解決しようとする課題】
【０００５】
そこで、本発明者等は、運動用水槽の前端の上縁部に、運動主体である犬用の胴衣に一端が取り付けられるリードの他端を固定することができるように、リード固定部を設け、該犬に対して運動用水槽内において水中歩行運動をさせる際に、一端を上記リード固定部に、他端を該犬に装着した胴衣に取り付けることによって、介護者が犬用の胴衣の把手を把持していなくても、運動用水槽内において該犬をリードで支持することができるように構成した。
【０００６】
ところが、運動主体である犬によって、或いは、犬の体調や状態によっては、該犬が運動用水槽内において該水槽の前端まで辿り着いてしまい、犬の運動をコントロールすることが困難となる。また、犬の大きさによっては、リードの長さが余ってしまうことがある。リードが長過ぎると運動主体である犬によっては、左右にふら付くことや左右のいずれかに片寄ってコンベア上から外れてしまい適正な運動をさせることができなくなることもある。或いは、水流に負けて流され、後部に行き過ぎて運動用水槽内の最後部に設けられた水の吸込口に引き寄せられて尻尾等が捕らえられて適正な運動が妨げられてしまうこともある。逆に、リードの長さが足りないと小型犬などの場合には、前足が上手く歩行面であるコンベア上に接地しなくなることがある。リード固定具から延びるリードの角度が、犬の背丈や体格に合わない場合には、リード自体が運動の邪魔になることもある。
【０００７】
本発明は、上記問題点に鑑みてなされたものであり、運動主体である犬に水中歩行運動をさせる犬用の運動器具において、該犬に装着される胴衣やその把手などを介護者が把持し続けなくても、多様な犬種や大きさに対応させながら該犬を運動用の水槽内において適宜に支持して、該犬が該水槽内において前に行き過ぎたり、後ろに行き過ぎたりすることや左右にふら付いたり、側壁に寄ってコンベア上から外れてしまうことを防止しつつ、該犬に適度な運動をさせることができるように構成された犬用の運動器具を提供せんとするものである。
【課題を解決するための手段】
【０００８】
上記課題を解決するために本発明の犬用の運動器具において採られた手段は、所定面積の底部とこの底部から立ち上がる側壁とを有し所定容積の水を溜め得る上面が開放された略矩形箱状の水槽と、該水槽の内底部付近に配設されモータ駆動によって回動するベルトコンベアからなる歩行面を有する歩行運動手段と、を備え、該水槽内において、運動主体である犬が、該水槽内を殆ど移動することなく、該犬に掛かる負荷を軽減しつつ、任意の距離の歩行運動と同等以上の運動効果を得ることができるように構成された犬用の運動器具において、前記側壁の上縁部に取り付けられ、該犬に装着された胴衣に一端が連結されるリードの他端を固定するためのリード固定フレームを有し、このリード固定フレームが該側壁の上縁部上において、該ベルトコンベアの歩行面の移動方向に沿って前後方向に位置を変えて固定し得るように構成されることを特徴とする。
【０００９】
リード固定フレームは、運動水槽の対向する側壁の上縁部に、それぞれ取り付けられて係止される一対の取付部と、これらの取付部間に架橋され且つリードの一端が固定されるリード固定部が形成された架橋フレームと、を備え、架橋フレームは、両端がそれぞれ一対の取付部に対して、高さ方向における伸縮を可能とするように連結され、これによって固定部の高さ位置を変え得るように構成さることを特徴とする。
【００１０】
ベルトコンベアの左右両端を跨ぐように、対向する側壁間に架橋される渡し板を備え、この渡し板が、前記ベルトコンベアの左右両端に配設されるカバー体上に載置されて該ベルトコンベアの上方に位置させることを特徴とする。
【００１１】
渡し板は、上部に座台が配設され、運動主体である犬の運動を補助する介護者が、水槽内において、渡し板がベルトコンベアに接触せずに、該座台に着座することができるように構成されることを特徴とする。
【００１２】
水槽内の後部における水を吸い込む吸込口の直前には、幅方向に延び、且つ、該吸込口を塞ぐことなく覆う板状部を有して、該吸込口に運動主体である犬の尻尾等が吸い込まれることを防止するように構成された吸込防止カバー体が配設されることを特徴とする。
【００１３】
水槽の幅方向において互いに対向するそれぞれの側壁に沿って、これらの側壁間の空隙の幅を狭めるように、これらの側壁間に配設される片寄り防止体を備え、これらの片寄り防止体によって運動主体である犬が幅方向の側壁に寄ってしまうことを防止し、該犬をベルトコンベア上に位置させるようにすることを特徴とする。
【発明の効果】
【００１４】
本発明は、犬に水中歩行運動をさせる運動用水槽の左右の側壁の上縁部に、前後方向における適宜の位置に取り付け可能な取付部を有するリード固定フレームを設けると共に、リード固定フレームを構成する架橋フレームを、取付部に対して高さ方向に伸縮可能とし、リード固定部の高さを適宜の高さ位置に調整することができるように構成したことにより、運動主体である犬の種類や大きさ、体調等に応じて、側壁の上縁部上において取付部を適宜の位置に調整して固定すると共に、リード固定部を適宜の高さ位置に調整して固定することができ、該犬が該水槽内において前に行き過ぎたり、後ろに行き過ぎたり、或いは、左右にふら付いたりすることを防止することができる。これによって、従来必要とされた運動主体である犬の運動を補助する介護者が犬用胴衣の把手を介して支持するという行為が不要となり、該介護者に掛かっていた負担を大幅に軽減することができる。
【００１５】
また、運動用の水槽内において、ベルトコンベアの歩行面に接触せず該歩行面の上方に位置させつつ、左右の側壁間に渡される渡し板を備え、該渡し板の上部中央に、介護者が着座可能な座台を配設し得るように構成したことにより、介護者が前記層内において前記座台に着座しながら運動主体である犬の運動の補助を行うことができ、介護者の負担を軽減することが可能となる。
【００１６】
また、運動用の水槽内の最後部にある水の吸込口の直前に、該吸込口を塞ぐことなく覆う幅方向に延びた板状部を有する吸込防止カバー体を配設したことにより、運動主体である犬の尻尾等が前記吸込口に吸い込まれることを防止することができ、吸い込まれてしまった尻尾等を自ら引き出すことができない非力な犬であっても恐怖心等を抱かせずに安心させつつ安全に運動させることが可能となる。
【００１７】
更に、水槽の幅方向において互いに対向するそれぞれの側壁に沿って、これらの側壁間の空隙の幅を、ベルトコンベアの幅程度まで狭めるように、これらの側壁間に配設される片寄り防止体を配設するように構成したことによって、運動主体である犬が幅方向の側壁に片寄ってしまったり、ベルトコンベア上から外れてしまうことを防止することができる。
【発明を実施するための最良の形態】
【００１８】
本発明の犬用の運動器具の実施形態を、以下に添付図面（図１乃至１５）を参照しながら詳細に説明する。尚、以下犬(Ｄ)といえば、本実施態様の犬用の運動器具(１)によって運動させる犬(Ｄ)を指すものとする。
【００１９】
本実施態様の犬用の運動器具(１)は、図１乃至図３に示すように、犬(Ｄ)がその内部において運動でき且つ水を溜め得る運動水槽(２)と、犬(Ｄ)が運動水槽(２)内において殆ど移動することなく任意距離の歩行運動と同等以上の運動効果を得ることができるように、モータ駆動（図示省略）で回動するベルトコンベア(3a)のベルト上部を歩行面(3b)とし、犬(Ｄ)に歩行運動させるための運動水槽(２)の内定部に配設される歩行運動手段(３)と、このベルトコンベア(3a)の前端を覆う網目状の前部保護カバー体（図示省略）と、ベルトコンベア(3a)の後端を覆う網目状の後部保護カバー体(４)と、ベルトコンベア(3a)の左右両端にそれぞれ配設されるサイドカバー体(５)(５)と、犬(Ｄ)に装着する胴衣(Ｆ)に一端が取り付けられるリード(Ｌ)の他端側を固定するためのリード固定フレーム(６)と、を備える。リード(Ｌ)は、犬(Ｄ)が後方へ退るのを阻止するために、水槽の前方から張られたリード(Ｌ1)と、犬(Ｄ)が前方へ行き過ぎるのを阻止するために、水槽の後方から張られたリード(Ｌ2)の両方が用意され、必要に応じて両方のリード若しくはいずれか一方のリードが連結される。
【００２０】
運動水槽(２)は、所定の幅、所定の長さの略長方形の底部とこの底部からほぼ垂直に立ち上がる側壁(7f)(7r)(7R)(7L)とを有し、上面は開放されて、全体として略矩形箱状に形成され、その内部に所定容積の水を溜め得るように構成される。運動水槽(２)をなす略矩形箱状の各辺部には、金属製の枠状フレーム(８)を有し、運動水槽(２)の側面をなす各枠状部にはそれぞれ透明なガラス板(9f)(9r)(9R)(9L)が嵌設され、外部から運動水槽(２)内を視認することができる側壁(7f)(7b)(7R)(7L)が形成される。枠状フレーム(８)の下端の四つ角には、それぞれ一つずつキャスタ(10)(10)(10)(10)が取り付けられ、水平方向の移動をスムースに行えるように構成される。
【００２１】
運動水槽(２)の底部は、金属製の底板(図示省略)が配設される。運動水槽(２)の前下部には、それぞれ運動水槽(２)の内外に亘って貫穿してなる運動水槽(２)の内部に冷水を供給するための給水口(11)と、運動水槽(２)内部に温水を供給するための給湯口(12)と、運動水槽(２)の内部の水を排出するための排水口(13)と、排水口と連結させることによって一旦運動水槽内から外部に排出した水を再び運動水槽内に戻して還流させるさせるための還流口(14)と、を有する。運動水槽(２)の後部には、ベルトコンベア(3a)を駆動するモータの作動のオン／オフ並びに回動速度の調節などを行うための歩行運動手段制御部(15)が配設される。
【００２２】
歩行運動手段(３)は、図１に示すように、運動水槽(２)の底部の幅より若干狭く、運動水槽(２)の長さよりも若干短い全長の歩行面(3b)をなすベルトコンベア(3a)と、このベルトコンベア(3a)を回動させる駆動用のモータに連動して回動する前後の回転軸(16)とから構成される。歩行面(3b)は、運動水槽(２)の底部の幅より若干狭い幅の所定長さのベルトの両端を互いに連結して環状にして、その内部に二本の回転軸(16)(16)を互いに離間して回転可能に配設し、運動水槽(２)の内底部に、ベルトコンベア(3a)の上部である歩行面(3b)が底板の板面とほぼ平行となるように配設される。
【００２３】
前部保護カバー体は、ベルトコンベア(3a)の幅方向に延びた略長方形状をなす金属製の平板からなり、板面の全体に亘って表裏に貫通した噴出口（図示省略）を多数有し、ベルトコンベア(3a)の前端部を覆うように配設され、ベルトコンベア(3a)の回動に伴って噴出口から後方に向かって水が流れ出すように構成される。後部保護カバー体(４)は、ベルトコンベア(3a)の幅方向に延びた略長方形状をなす金属製の平板からなり、板面の全体に亘って表裏に貫通した吸込口(4a)を多数有し、ベルトコンベア(3a)の後端部を覆うように配設され、ベルトコンベア(3a)の回動に伴って後方に向かって流下して来る水を吸い込むように構成される。
【００２４】
サイドカバー体(５)(５)は、ベルトコンベア(3a)の左右両端にそれぞれ配設されるものであり、ベルトコンベア(3a)の左右両端と運動水槽(２)の幅方向の側壁(7R)(7L)の内面との間の間隙を上部から覆って、犬の手足や尻尾、或いは、体毛などが前記間隙に落ち込んだり、巻き込まれることを防止するためのものであって、前記間隙の全体を覆う細長い長方形状の板面を有する金属製の部材であって、この板面には全体に亘って適宜間隔で貫穿される貫通孔(5a)(5a)を有する。尚、サイドカバー体(５)(５)は、図１乃至図１１に示すように、運動水槽(２)の幅方向の側壁(7R)(7L)側から対応するベルトコンベア(3a)の幅方向の端部に向かって下降斜面状に傾斜させて配設することも可能であるが、図１４に示すように、ベルトコンベア(3a)の歩行面とほぼ同等の高さ位置で水平に配設することもできる。
【００２５】
リード固定フレーム(６)は、犬(Ｄ)に装着された胴衣(Ｆ)に一端が連結されるリード(Ｌ)の他端を固定するための物であり、図１に示すように、運動水槽(２)の幅方向における互いに対向する側壁(7R)(7L)の上縁部に、それぞれ取り付けられて係止される一対の取付部(6a)(6a)と、これらの取付部(6a)(6a)間に架橋される架橋フレーム(6b)と、を備える。
【００２６】
取付部(6a)(6a)は、図２に示すように、横断面が略コ字形に形成される、運動水槽(２)の前後方向に延びた取付部本体(6c)(6c)と、この取付部(6a)(6a)を運動水槽(２)の幅方向における側壁(7R)(7L)の上辺部をなす枠状フレーム(８)に締め付けて固定するための固定用ボルト(6d)(6d)(6d)(6d)と、取付部本体(6c)(6c)の上部中央にボルト・ナット(6e)(6e)で締結される高さ調節体(6f)(6f)と、を備える。取付部本体(6c)(6c)は、ステンレス製であり、上部側の板面には、表裏に貫通したボルト穴（図示省略）を有し、このボルト穴の上部には、固定用ボルト(6d)(6d)(6d)(6d)を螺合するためのナット(6g)(6g)(6g)(6g)が固着される。取付部本体(6c)(6c)の上部側の板面の下面には、滑止部材(6h)(6h)が配設され、側壁の上縁部に固定された取付部(6a)(6a)が滑って位置ずれを起こしたりしないように構成される。高さ調節体(6f)(6f)は、取付部本体(6c)(6c)の上部側の板面に平行で、この板面にボルト・ナット(6e)(6e)で締結される固定板部(6i)(6i)と、この固定板部(6i)(6i)の上面中央から鉛直上方に立設される丸棒状の高さ調節部(6j)(6j)と、から構成される。高さ調節部(6j)(6j)には、適宜の高さ位置における周面には、雌ネジ孔(6k)(6k)(6k)が形成され、架橋フレーム(6b)に螺合された高さ調節ボルト(6m)(6m)を螺合することによってリード固定フレーム(６)の高さ位置を調節することができるように構成される。
【００２７】
架橋フレーム(6b)は、両端がそれぞれ左右一対の取付部(6a)(6a)に対して、高さ方向における伸縮を可能とするように連結され、これによってリード固定部(6n)の高さ位置を変え得るように構成さる。即ち、架橋フレーム(6b)は、金属製のパイプ材を左右の取付部(6a)(6a)の高さ調節部間に亘る略アーチ形に形成してなり、その左右の下端部がそれぞれ左右の取付部(6a)(6a)の高さ調節部(6j)(6j)に装着され、適宜の高さ位置で固定することができるように構成される。架橋フレーム(6b)の左右の下端部には、それぞれ貫穿されたボルト穴（図示省略）に高さ調節ボルト(6m)(6m)が螺合され、高さ調節部(6j)(6j)に装着された架橋フレーム(6b)を適宜の高さ位置で固定することができるように構成される。架橋フレーム(6b)の中央の下部には、略コ字形の部材が架橋フレーム(6b)に対して固着されて閉曲線状をなし、図３に示すように、リード(Ｌ)の一端が固定されるリード固定部(6n)が形成される。
【００２８】
こうしてリード固定フレーム(６)は、運動水槽(２)の幅方向の側壁の上縁部に取り付けられ、この上縁部上において、ベルトコンベア(3a)の歩行面(3b)の移動方向に沿って、即ち、前後方向に位置を変えて固定し得るように構成される。
【００２９】
また、本実施態様の犬用の運動器具(１)は、図４乃至図９に示す渡し板(17)を備える。この渡し板(17)は、運動水槽(２)の内側の幅とほぼ同等の長さを有する長方形状の硬質の板材からなる渡し板本体(17a)と、この本体の四つ角にそれぞれ取り付けられる滑止部材(17b)(17b)(17b)(17b)とからなる。この渡し板(17)は、図５に示すように、運動水槽(２)の内部において左右の側壁(7R)(7L)間に亘って架橋するように、左右のサイドカバー体(５)(５)上に載置され、ベルトコンベア(3a)の歩行面(3b)に接触しないように歩行面(3b)の上方に位置するように配設される。渡し板(17)の運動水槽(２)内の前後方向における配設位置は、前端から後端までの適宜の位置に設定することが可能である。
【００３０】
例えば、図６に示すように、渡し板(17)を運動水槽(２)の前後方向における中央部に配設すれば、前足が不自由な犬(Ｄ)の後足を運動させる場合に、前足を渡し板(17)に載せつつ、後足をベルトコンベア(3a)上部の歩行面(3b)に乗せて、歩行面(3b)を動かしながら後足に歩行運動をさせることができる。勿論、渡し板(17)の配設位置は、図７に示すように、運動水槽(２)の最後部に配設することができ、この場合、例えば図８に示すように、渡し板(17)の上部中央に座台(18)を載置して、介護者(Ｍ)が運動水槽(２)内に入って図９に示すように、座台(18)に着座しながら犬(Ｄ)の運動を補助することができるようにすることが可能である。尚、座台(18)は、渡し板(17)上に配置することができ、且つ、座面が運動水槽(２)内の水面より高い位置となって、着座時に座面が濡れず、また介護者(Ｍ)が楽な姿勢で着座しながら補助作業を行うことができる高さ位置となるように構成される。
【００３１】
また、本実施態様の犬用の運動器具(１)は、図１０及び図１１に示す吸込防止カバー体(19)を備える。この吸込防止カバー体(19)は、運動水槽(２)の幅方向に延びた略直角三角筒状をなし、運動水槽(２)内の最後部に配設された後部保護カバー体(４)の直前に配設される。吸込防止カバー体(19)は、底面部(19a)と、この底辺部(19a)の後端からほぼ垂直に立設された背面部(19b)と、背面部(19b)の上端と底面部(19a)の前端との間に位置する斜面部(19c)とを有し、背面部(19b)が後部保護カバー体(４)の直前に位置して、後部保護カバー体(４)に形成された吸込口(4a)を塞がずに、後部保護カバー体(４)を覆い、運動主体である犬(Ｄ)の尻尾等が吸い込まれることを防止するように構成される。尚、吸込防止カバー体(19)は、ベルトコンベア(3a)の幅以下の幅に設定され、左右両端から水が回り込んで吸込口(4a)に流れ込むことが妨げられないように構成される。
【００３２】
吸込防止カバー体(19)は、図１２及び図１３に示すように、バネ(19e)の弾発力で側方へ突出する衝接板(19d)を備え、該衝接板(19d)を水槽(２)の内側面に衝接させて、吸込防止カバー板(19)が浮動するのを防止することが好ましい。図１３において、衝接板(19d)は、吸込防止カバー板(19)の両側に配置したが、一方のみに配置しても良い。
【００３３】
また、本実施態様の犬用の運動器具(１)は、図１２乃至図１４に示す片寄り防止体(20R)(20L)を備える。片寄り防止体(20R)(20L)は、運動水槽(２)内の左右それぞれの側壁(7R)(7L)に沿って、これらの側壁(7R)(7L)間の空隙の幅を狭めるように、これらの側壁(7R)(7L)と対応するベルトコンベア(3a)の幅方向における端部との間に配設され、運動主体である犬(Ｄ)が運動水槽(２)内において幅方向の側壁(7R)(7L)に寄ってしまうことを防止する。
【００３４】
片寄り防止体(20R)(20L)は、前後方向に延びた長方形筒状をなし、水よりも比重の大きな透明の素材から構成される。片寄り防止体(20R)(20L)の長さは、図１２に示すように、運動水槽(２)の内部の前後方向における長さよりも幾分短く設定され、渡し板(17)を運動水槽(２)内の最後部に配設して用いる場合に、渡し板(17)との併用ができるように構成される。片寄り防止体(20R)(20L)の幅は、サイドカバー体(５)(５)の幅とほぼ同等に設定され、特には、水平に配設されるタイプのサイドカバー体(５)(５)上に載置して使用することができるように構成すれば、配設時の安定性を向上させることができて好ましい。片寄り防止体(20R)(20L)の高さは、特に限定されないが、中型犬若しくは大型犬の肩の高さ位置程度に設定すれば、小型犬から大型犬までほぼ同等に対応することができる。
【００３５】
片寄り防止体(20R)(20L)の上面板及び下面板の適宜の部位には、図１３に示すように、それぞれ表裏に貫通した通水孔(20a)を有し、運動水槽(２)内に水が溜められた後からでも簡便に貯水に沈めながら運動水槽(２)内に設置することができるように構成される。また、片寄り防止体(20R)(20L)の内部には、左右の側面板間に取り付けられて片寄り防止体(20R)(20L)を補強する補強板(20b)を有する。片寄り防止体(20R)(20L)の側面板の外端下部には、前後方向における適宜の部位に互いに間隔を存して垂設される複数の係入板(20c)を有し、図１４に示すように、それらの係入板(20c)を、サイドカバー体(５)(５)と運動水槽(２)の左右の側壁(7R)(7L)との間にある僅かな間隙(21)(21)に係入して、片寄り防止体(20R)(20L)が運動水槽(２)内を揺らめく水流によって移動してしまうことを防止するように構成される。
【００３６】
以上説明したように、本発明の犬用の運動器具(１)は、運動水槽(２)の幅方向における左右の側壁(7R)(7L)の上縁部の任意の位置に取り付け可能なリード固定フレーム(６)を有し、また運動水槽(２)内の幅方向に渡される渡し板(17)や運動水槽(２)内の最後部に配設され尻尾等の吸い込みを防止する吸込防止カバー体(19)や犬(Ｄ)が運動水槽(２)内において左右の側壁(7R)(7L)のいずれかに片寄ってしまうことを防止する片寄り防止体(20R)(20L)などを備えるように構成したものであって、その主旨を逸脱しない範囲において様々な形態で実施することができる。
【図面の簡単な説明】
【００３７】
【図１】本実施態様のリード固定フレームを備えた犬用の運動器具の斜視図
【図２】同リード固定フレームの斜視図
【図３】同運動器具の運動水槽内に水を溜めつつ、リードをリード固定部に固定し、犬に水中歩行運動をさせている状態を示す斜視図
【図４】本実施態様の渡し板の斜視図
【図５】同渡し板を配設した状態の運動器具の横断面図
【図６】同運動器具の中央部に渡し板を配設しつつ、犬の前足を渡し板に載置しながら該犬に水中歩行運動をさせている状態を示す斜視図
【図７】同渡し板を運動水槽内の最後部に配設した状態を示す斜視図
【図８】同渡し板に座台を載置した状態を示す斜視図
【図９】同座台に介護者が着座しながら犬の運動を補助している状態を示す概念図
【図１０】本実施態様の吸込防止カバー体の斜視図
【図１１】同吸込防止カバー体を運動水槽内の最後部に配設している状態を示す斜視図
【図１２】衝接板を示す、吸込防止カバー体の一部拡大斜視図
【図１３】同縦断面図
【図１４】本実施態様の片寄り防止体を運動水槽内に配設した状態を示す斜視図
【図１５】本実施態様の片寄り防止体の斜視図
【図１６】同片寄り防止体を運動水槽内に配設した状態の運動器具の横断面図
【符号の説明】
【００３８】
１  犬用の運動器具
２  運動水槽
３  歩行運動手段
3a  ベルトコンベア
3b  歩行面
４  後部保護カバー体
4a  吸込口
５  サイドカバー体
5a  貫通孔
６  リード固定フレーム
6a  取付部
6b  架橋フレーム
6c  取付部本体
6d  固定用ボルト
6e  ボルト・ナット
6f  高さ調節体
6g  ナット
6h  滑止部材
6i  固定板部
6j  高さ調節部
6k  雌ネジ孔
6m  高さ調節ボルト
6n  リード固定部
7f  側壁
7r  側壁
7R  側壁
7L  側壁
８  枠状フレーム
9f  ガラス板
9r  ガラス板
9R  ガラス板
9L  ガラス板
10  キャスタ
11  給水口
12  給湯口
13  排水口
14  還流口
15  歩行運動手段制御部
16  回転軸
17  渡し板
17a  渡し板本体
17b  滑止部材
18  座台
19  吸込防止カバー体
19a  底面部
19b  背面部
19c  斜面部
19d  衝接板
19e  バネ
20R  片寄り防止体
20L  片寄り防止体
20a  通水孔
20b  補強板
20c  係入板
21  間隙
Ｄ  犬
Ｆ  胴衣
Ｌ  リード
Ｍ  介護者
【図１】
2009291155.tif 000003
【図２】
2009291155.tif 000004
【図３】
2009291155.tif 000005
【図４】
2009291155.tif 000006
【図５】
2009291155.tif 000007
【図６】
2009291155.tif 000008
【図７】
2009291155.tif 000009
【図８】
2009291155.tif 000010
【図９】
2009291155.tif 000011
【図１０】
2009291155.tif 000012
【図１１】
2009291155.tif 000013
【図１２】
2009291155.tif 000014
【図１３】
2009291155.tif 000015
【図１４】
2009291155.tif 000016
【図１５】
2009291155.tif 000017
【図１６】
2009291155.tif 000018